(57)【要約】【課題】家電同様、極限までユーザーフレンドリーなインターフェイスを目指す。手差し口を分かり易くする。【解決手段】（１）光で、手差し口を導く。（２）連続誘導灯で手差し口を導く。（３）設定された印字幅に対応した幅だけ点灯する。（４）設定された印字幅と、セットされたメデイアの不一致に対応した幅だけ点灯する。（５）設定された時、紙が無い時、消耗された時、プリント中点灯する。【選択図】        図１
2004155095.tif 000002
【特許請求の範囲】
【請求項１】
インクジェット記録装置の給紙において、少なくとも、手差しにて給紙を行う方法を有するとき、手差しにより、給紙するとき、手差しにて供給する場所が、点灯する光、もしくは、連続誘導灯により、利用者に位置を知らせる機能を有することを特徴とするインクジェット記録装置。
【請求項２】
前記インクジェット記録装置において、複数の給紙を行う方法を有し、手差しにより、給紙するとき、手差しにて供給する場所が、点灯する光、もしくは、連続誘導灯により、利用者に位置を知らせる機能を有することを特徴とする請求項１記載のインクジェット記録装置。
【請求項３】
前記インクジェット記録装置において、印字設定の幅に対応した幅に、点灯して、対象の印字の範囲が視認できる手差しにて供給する場所が、点灯する光、もしくは、連続誘導灯により、利用者に位置を知らせる機能を有することを特徴とする請求項１記載のインクジェット記録装置。
【請求項４】
前記インクジェット記録装置において、設定された記録媒体の幅と、実際に手差し口にセットされた記録媒体の幅が不一致の時、点灯で注意を促す、点灯する光、もしくは、連続誘導灯により、利用者に位置を知らせる機能を有することを特徴とする請求項１記載のインクジェット記録装置。
【請求項５】
前記インクジェット記録装置において、設定された記録媒体の幅と、実際に手差し口にセットされた記録媒体の幅が不一致の時、不一致分の幅だけ、点灯で注意を促す、点灯する光、もしくは、連続誘導灯により、利用者に位置を知らせる機能を有することを特徴とする請求項４記載のインクジェット記録装置。
【請求項６】
インクジェット記録装置において、ドライバーソフトが搭載されているパソコンの操作画面上で、手差し給紙が選択された時、もしくは、プリンターに紙を供給する個所が複数存在し、電気的もしくは、機械的に、手差し給紙が選択された時に、点灯する光、もしくは、連続誘導灯により、利用者に位置を知らせる機能が稼動することを特徴とする請求項１記載のインクジェット記録装置。
【請求項７】
インクジェット記録装置において、手差し給紙個所に記録媒体が無い時、もしくは、印字により、記録媒体がなくなった時に、点灯する光、もしくは、連続誘導灯により、利用者に位置を知らせる機能が稼動することを特徴とする請求項１記載のインクジェット記録装置。
【請求項８】
インクジェット記録装置において、手差し給紙を用いて給紙を行い、印字する時に、点灯する光、もしくは、連続誘導灯により、利用者に位置を知らせる機能が稼動することを特徴とする請求項１記載のインクジェット記録装置。
【発明の詳細な説明】
【０００１】
【発明の属する技術分野】
本発明は、インクジェット記録装置に関する。
【０００２】
【従来の技術】
インクジェット記録装置は、紙にテキストを印字するばかりでなく、写真調の印字、Ｔシャツ等の衣類、シール、等いろいろな応用に実用化され始めている。
【０００３】
応用分野が広がることにより、利用する、対象の人々の、年齢、一般的機械操作の習熟度のばらつきも拡大し、利用に技術的理解、等の要求がされない、操作が極めて容易である機種が求められるようになってきた。
【０００４】
たとえば、知覚が衰えた高齢の人々や、３〜１０歳等の子供に利用されることを想定するのである。
【０００５】
本発明は、極めて、容易な操作性を特徴とする、インクジェット記録装置を、完成させることの中で、生まれてきた。
【０００６】
【発明が解決しようとする課題】
従来、民生に使われる、インクジェットプリンターは、記録媒体については、通常の普通紙、はがき等の厚紙、オーバーヘッドプロジェクター用のフィルム、シール、ＣＤ−Ｒ等媒体によって、搬送の時の、柔軟性が異なり、供給する個所が、複数である場合が多い。
【０００７】
ここで、供給する、紙のサイズや、種類により、電気的、もしくは、機械的に記録媒体のインクジェット記録装置での装置内の供給場所や、供給経路が切り替わるように、設計され、電気的、もしくは、機械的に切り替え機構を用いて、供給を切り替える。
【０００８】
この時、いわゆる、手差し口と呼ばれる自動で供給されない個所は、電気的、もしくは、機械的に切り替え選択されても、ある程度の技術に対する、理解がないと、その場所がどこであるのか、理解が難しいことが判った。
【０００９】
本発明は、手差し口の位置を供給する必要があるとき、確認する時、等に、分かり易く、利用者を導くことを目的とする。さらには、手差しの記録サイズの確認を目で見て、光で確認することも可能にすることを狙っている。
【００１０】
【課題を解決するための手段】
以上、本発明を整理して要約すれば以下の構成に集約できる。
【００１１】
（１）インクジェット記録装置の給紙において、少なくとも、手差しにて給紙を行う方法を有するとき、手差しにより、給紙するとき、手差しにて供給する場所が、点灯する光、もしくは、連続誘導灯により、利用者に位置を知らせる機能を有することを特徴とするインクジェット記録装置。
【００１２】
（２）前記インクジェット記録装置において、複数の給紙を行う方法を有し、手差しにより、給紙するとき、手差しにて供給する場所が、点灯する光、もしくは、連続誘導灯により、利用者に位置を知らせる機能を有することを特徴とする前記（１）記載のインクジェット記録装置。
【００１３】
（３）前記インクジェット記録装置において、印字設定の幅に対応した幅に、点灯して、対象の印字の範囲が視認できる手差しにて供給する場所が、点灯する光、もしくは、連続誘導灯により、利用者に位置を知らせる機能を有することを特徴とする前記（１）記載のインクジェット記録装置。
【００１４】
（４）前記インクジェット記録装置において、設定された記録媒体の幅と、実際に手差し口にセットされた記録媒体の幅が不一致の時、点灯で注意を促す、点灯する光、もしくは、連続誘導灯により、利用者に位置を知らせる機能を有することを特徴とする前記（１）記載のインクジェット記録装置。
【００１５】
（５）前記インクジェット記録装置において、設定された記録媒体の幅と、実際に手差し口にセットされた記録媒体の幅が不一致の時、不一致分の幅だけ、点灯で注意を促す、点灯する光、もしくは、連続誘導灯により、利用者に位置を知らせる機能を有することを特徴とする前記（４）記載のインクジェット記録装置。
【００１６】
（６）インクジェット記録装置において、ドライバーソフトが搭載されているパソコンの操作画面上で、手差し給紙が選択された時、もしくは、プリンターに紙を供給する個所が複数存在し、電気的もしくは、機械的に、手差し給紙が選択された時に、点灯する光、もしくは、連続誘導灯により、利用者に位置を知らせる機能が稼動することを特徴とする前記（１）記載のインクジェット記録装置。
【００１７】
（７）インクジェット記録装置において、手差し給紙個所に記録媒体が無い時、もしくは、印字により、記録媒体がなくなった時に、点灯する光、もしくは、連続誘導灯により、利用者に位置を知らせる機能が稼動することを特徴とする前記（１）記載のインクジェット記録装置。
【００１８】
（８）インクジェット記録装置において、手差し給紙を用いて給紙を行い、印字する時に、点灯する光、もしくは、連続誘導灯により、利用者に位置を知らせる機能が稼動することを特徴とする前記（１）記載のインクジェット記録装置。
【００１９】
【発明の実施の形態】
以下、本発明の実施例を述べる。
【００２０】
（実施例１）
図１に、利用者のガイドとなる光の点灯の動作についての、フローチャートを示した。
【００２１】
図２に、本発明第１の実施例を略図で示した。
【００２２】
図中、１はプリンター、２は自動供給トレイ、３は手差し口、４は記録媒体の１例である紙、６は今回、プリンターに搭載した、ガイドのための点灯するガイドである。
【００２３】
図１に示した、フローチャートに従い、必要あるときに、ガイド６の点灯を行い、手差しを分かり易くした。
【００２４】
（実施例２）
図３に、本発明第２の実施例を略図で示した。
【００２５】
図中１〜４は図２とまったく同様で、７は今回、連続誘導灯である。
【００２６】
図１に示した、フローチャートに従い、必要あるときに、７の点灯を行った。
【００２７】
ここで、実施例１との違いは、連続誘導灯にしたことにより、さらに、手差しを分かり易くした。
【００２８】
（実施例３）
図４に、本発明第３の実施例を略図で示した。
【００２９】
図中１〜４は図２とまったく同様で、８は今回、印字幅に対応し印字幅だけ点灯するガイド照明である。
【００３０】
図１に示した、フローチャートに従い、必要あるときに、８の点灯を行った。
【００３１】
ここで、実施例１との違いは、印字の設定された幅だけ点灯し、印字の幅と手差しにより、印字する記録媒体の幅を目で確認できるようにした。
【００３２】
この結果、手差しを分かり易く出来たばかりでなく印字幅について誤りを未然に防ぐこともできるようになった。
【００３３】
（本発明の他の実施方法）
本発明について、いくつかの実施例を述べたが、点灯の位置は、目的を達成するものであればどのような形状のものでも良いし、数もいくつでも良い。
【００３４】
また、点灯する動作についてのフローチャートは、一例を示したが、手差しの部分を分かり易くできるタイミングであれば、他のフローチャートでもまったく同様の効果を得ることができる。
【００３５】
【発明の効果】
以上、光を用いて、利用者に、手差しの位置を、手差しを必要な時にしらしめる、ユーザーインターフェイスに優れたインクジェット記録装置を提供することが出来た。
【００３６】
また、さらに、設定された印字幅を確認しながら、手差しを行うことも可能になった。
【図面の簡単な説明】
【図１】利用者のガイドとなる光の点灯の動作についてのフローチャート
【図２】本発明第１の実施例の略図
【図３】本発明第２の実施例の略図
【図４】本発明第３の実施例の略図
【符号の説明】
１  プリンター
２  自動供給トレイ
３  手差し口
４  記録媒体の１例である紙、
６  プリンターに搭載したガイドのための点灯するガイド
７  連続誘導灯
８  印字幅に対応し印字幅だけ点灯するガイド照明
【図１】
2004155095.tif 000003
【図２】
2004155095.tif 000004
【図３】
2004155095.tif 000005
【図４】
2004155095.tif 000006